(57)【要約】【課題】低温流動性及びせん断安定性に優れ、省燃費化が可能な耐摩耗性及び疲労寿命に優れたハイブリッド車又は電気自動車の減速機用潤滑油組成物を提供すること。【解決手段】合成系基油を含み、２５℃でのトラクション係数が０．００７以下である潤滑油基油と、重量平均分子量が４００００〜１０００００の流動点降下剤と、を含有し、潤滑油組成物全量基準で、前記流動点降下剤の含有量が０．１〜１．０質量％であり、下記式（１）を満たす、ハイブリッド車又は電気自動車の減速機用潤滑油組成物。  ０．０１≦［ＣＳ／（ＣＢ×ＣＰ）］≦０．０２５    （１）［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］【選択図】なし【特許請求の範囲】
【請求項１】
合成系基油を含み、２５℃でのトラクション係数が０．００７以下である潤滑油基油と、
重量平均分子量が４００００〜１０００００の流動点降下剤と、
を含有し、潤滑油組成物全量基準で、前記流動点降下剤の含有量が０．１〜１．０質量％であり、下記式（１）を満たす、ハイブリッド車又は電気自動車の減速機用潤滑油組成物。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
【請求項２】
リン及び硫黄を含む添加剤と、
ホウ素を含む添加剤と、
をさらに含有し、
前記リン及び硫黄を含む添加剤が、構成元素としてリンを含み硫黄を含まない第１の添加剤と構成元素として硫黄を含みリンを含まない第２の添加剤との組合せ、構成元素としてリン及び硫黄の両方を含む第３の添加剤、前記第１の添加剤と前記第３の添加剤との組合せ、前記第２の添加剤と前記第３の添加剤との組合せ、並びに、前記第１の添加剤と前記第２の添加剤と前記第３の添加剤との組合せからなる群より選ばれる１種である、請求項１に記載のハイブリッド車又は電気自動車の減速機用潤滑油組成物。
【請求項３】
組成物のハイブリッド車又は電気自動車の減速機用潤滑油としての使用であって、
前記組成物が、
合成系基油を含み、２５℃でのトラクション係数が０．００７以下である潤滑油基油と、
重量平均分子量が４００００〜１０００００の流動点降下剤と、
を含有し、潤滑油組成物全量基準で、前記流動点降下剤の含有量が０．１〜１．０質量％であり、下記式（１）を満たす、使用。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
【請求項４】
組成物のハイブリッド車又は電気自動車の減速機用潤滑油の製造のための使用であって、
前記組成物が、
合成系基油を含み、２５℃でのトラクション係数が０．００７以下である潤滑油基油と、
重量平均分子量が４００００〜１０００００の流動点降下剤と、
を含有し、潤滑油組成物全量基準で、前記流動点降下剤の含有量が０．１〜１．０質量％であり、下記式（１）を満たす、使用。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
【発明の詳細な説明】
【技術分野】
【０００１】
本発明は、ハイブリッド車又は電気自動車の減速機用潤滑油組成物に関する。
【背景技術】
【０００２】
近年、地球環境保護の観点から、二酸化炭素削減が強く求められており、そのため、自動車の分野では、省燃費技術の開発に力が注がれている。省燃費化の主流にハイブリッド車及び電気自動車があり、今後急速に普及すると予測されている。ハイブリッド車及び電気自動車は電動モーター、発電機、インバータ、蓄電池等を有することが特徴であり、一部又は全部が電動モーターで走行する。
【０００３】
このようなハイブリッド車及び電気自動車における伝導モーター及び発電機の冷却には、ＡＴＦ（オートマチック・トランスミッション・フルード）及びＣＶＴＦ（コンティニュアスリー・バリアブル・トランスミッション・フルード）が使用されている。ＡＴＦ及びＣＶＴＦには、一般に基油として、鉱物油、ポリα−オレフィン等の合成油が使用されている。一方、ハイブリッド車及び電気自動車は歯車減速機を有する形式であり、低温流動性と潤滑性の双方を兼ね備えることが必要とされる。今後、ハイブリッド車及び電気自動車において、燃費、電費等を改善させるにためは、電動モーター、発電機等の低温流動性に優れる潤滑油が望まれ、さらに潤滑油の低粘度化が必要とされる。
【０００４】
従来の自動変速機用潤滑油組成物としては、低粘度であっても疲労寿命が長く、耐久性等にバランス良く優れたものとして、潤滑油基油に各種添加剤を配合したものが提案されている（例えば、特許文献１参照。）。
【０００５】
しかしながら、ハイブリッド車又は電気自動車の歯車減速機、特に電動モーター又はインホイールモーター、中でもインホイールモーターに用いられる潤滑油は、自動変速機及び無段変速機と比較して、少量となるため、過酷なせん断を受けることによって粘度が低下し、耐摩耗性をはじめとする潤滑性能が悪化する場合があった。
【先行技術文献】
【特許文献】
【０００６】
【特許文献１】特開２００７−２８４５６４号公報
【発明の概要】
【発明が解決しようとする課題】
【０００７】
本発明はこのような実情に鑑みてなされたものであり、低温流動性及びせん断安定性に優れ、省燃費化が可能な耐摩耗性及び疲労寿命に優れたハイブリッド車又は電気自動車の減速機用潤滑油組成物を提供することを目的とする。
【課題を解決するための手段】
【０００８】
上記課題を解決するために、本発明は、下記［１］及び［２］に示す潤滑油組成物、下記［３］に示す組成物の使用、並びに下記［４］に示す組成物の製造のための使用を提供する。
【０００９】
［１］合成系基油を含み、２５℃でのトラクション係数が０．００７以下である潤滑油基油と、重量平均分子量が４００００〜１０００００の流動点降下剤と、を含有し、潤滑油組成物全量基準で、流動点降下剤の含有量が０．１〜１．０質量％であり、下記式（１）を満たす、ハイブリッド車又は電気自動車の減速機用潤滑油組成物。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
［２］リン及び硫黄を含む添加剤と、ホウ素を含む添加剤と、をさらに含有し、前記リン及び硫黄を含む添加剤が、構成元素としてリンを含み硫黄を含まない第１の添加剤と構成元素として硫黄を含みリンを含まない第２の添加剤との組合せ、構成元素としてリン及び硫黄の両方を含む第３の添加剤、前記第１の添加剤と前記第３の添加剤との組合せ、前記第２の添加剤と前記第３の添加剤との組合せ、並びに、前記第１の添加剤と前記第２の添加剤と前記第３の添加剤との組合せからなる群より選ばれる１種である、［１］に記載のハイブリッド車又は電気自動車の減速機用潤滑油組成物。
【００１０】
［３］組成物のハイブリッド車又は電気自動車の減速機用潤滑油としての使用であって、前記組成物が、合成系基油を含み、２５℃でのトラクション係数が０．００７以下である潤滑油基油と、重量平均分子量が４００００〜１０００００の流動点降下剤と、を含有し、潤滑油組成物全量基準で、前記流動点降下剤の含有量が０．１〜１．０質量％であり、下記式（１）を満たす、使用。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
［４］組成物のハイブリッド車又は電気自動車の減速機用潤滑油の製造のための使用であって、前記組成物が、合成系基油を含み、２５℃でのトラクション係数が０．００７以下である潤滑油基油と、重量平均分子量が４００００〜１０００００の流動点降下剤と、を含有し、潤滑油組成物全量基準で、前記流動点降下剤の含有量が０．１〜１．０質量％であり、下記式（１）を満たす、使用。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
【発明の効果】
【００１１】
本発明によれば、低温流動性及びせん断安定性に優れ、省燃費化が可能な耐摩耗性及び疲労寿命に優れた潤滑油組成物が提供される。したがって、ハイブリッド車又は電気自動車の減速機用、特に電動モーター用又はインホイールモーター用に適用した場合に、減速機油として必要な特性を維持しつつ、省燃費性を達成することができる。中でも補助動力源がない電気自動車用として好適である。
【発明を実施するための形態】
【００１２】
以下、本発明の好適な実施形態について説明する。
【００１３】
本実施形態に係るハイブリッド車又は電気自動車の減速機用潤滑油組成物は、（Ａ）合成系基油を含み、２５℃でのトラクション係数が０．００７以下である潤滑油基油と、（Ｂ）重量平均分子量が４００００〜１０００００の流動点降下剤と、を含有し、潤滑油組成物全量基準で、流動点降下剤の含有量が０．１〜１．０質量％であり、下記式（１）を満たす。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
【００１４】
［（Ａ）成分：潤滑油基油］
本実施形態に係る潤滑油組成物は、（Ａ）合成系基油を含み、２５℃でのトラクション係数が０．００７以下である潤滑油基油を含有する。
【００１５】
合成系基油としては、ポリα−オレフィン又はその水素化物、イソブテンオリゴマー又はその水素化物、イソパラフィン、アルキルベンゼン、アルキルナフタレン、一塩基酸エステル、二塩基酸エステル等のエステル系基油、ポリオキシアルキレングリコール、ジアルキルジフェニルエーテル、ポリフェニルエーテル、フィッシャートロピッシュプロセスから製造されたワックスを接触脱ろうして製造された基油などが挙げられる。なお、これらの基油は単独でも、２種以上任意の割合で組み合わせて使用してもよい。
【００１６】
合成系基油の含有量は、特に限定されないが、潤滑油基油全量基準で、好ましくは３０質量％以上であり、より好ましくは４０質量％以上であり、さらに好ましくは５０質量％以上である。また、合成系基油の含有量は、潤滑油基油全量基準で、１００質量％であってもよい。その含有量を３０質量％以上とすることにより、低温流動性及び疲労寿命に優れる潤滑油組成物を得ることが可能となる。
【００１７】
合成系基油は、ポリα−オレフィンを含むことが好ましい。ポリα−オレフィンとしては、具体的には、炭素数２〜３２、好ましくは６〜１６のα−オレフィンのオリゴマー又はコオリゴマー（例えば、１−オクテンオリゴマー、１−デセンオリゴマー、１−ドデセンオリゴマー、エチレン−プロピレンコオリゴマー等）及びその水素化物が挙げられる。
【００１８】
ポリα−オレフィンの製法については特に制限はないが、例えば、三塩化アルミニウム、三フッ化ホウ素、又は三フッ化ホウ素と水、アルコール（例えば、エタノール、プロパノール又はブタノール）、カルボン酸、又はエステル（例えば、酢酸エチル又はプロピオン酸エチル）との錯体を含むフリーデル・クラフツ触媒のような重合触媒の存在下でのα−オレフィンの重合等が挙げられる。
【００１９】
ポリα−オレフィンを含有させる場合の含有量は、潤滑油基油全量基準で、好ましくは６０質量％以上であり、より好ましくは６５質量％以上であり、さらに好ましくは７０質量％以上である。また、ポリα−オレフィンの含有量は、潤滑油基油全量基準で、１００質量％であってもよい。その含有量を６０質量％以上とすることにより、低温流動性及び疲労寿命により優れる潤滑油組成物を得ることが可能となる。
【００２０】
ポリα−オレフィンの４０℃における動粘度は、特に制限はされないが、好ましくは５ｍｍ２／ｓ以上であり、より好ましくは１０ｍｍ２／ｓ以上であり、さらに好ましくは１５ｍｍ２／ｓ以上である。また、好ましくは５０ｍｍ２／ｓ以下であり、より好ましくは４０ｍｍ２／ｓ以下であり、さらに好ましくは３５ｍｍ２／ｓ以下である。４０℃における動粘度が５ｍｍ２／ｓ以上、又は５０ｍｍ２／ｓ以下であると、極圧性、耐摩耗性及び耐焼付き性に優れる傾向にある。
【００２１】
ポリα−オレフィンの粘度指数は、特に制限はされないが、好ましくは１００以上であり、より好ましくは１１０以上であり、さらに好ましくは１２０以上である。粘度指数が１００以上であると、低温流動性に優れる傾向にある。
【００２２】
合成系基油は、ポリα−オレフィンに加え、さらにエステル系基油を含むことが好ましい。
【００２３】
エステル系基油を構成するアルコールとしては１価アルコールでも多価アルコール（ポリオール）でもよく、また、エステル系基油を構成する酸としては一塩基酸でも多塩基酸であってもよい。また、エステル結合を含有する基油であれば、複合エステル化合物であってもよい。
【００２４】
１価アルコールとしては、通常炭素数１〜２４、好ましくは１〜１２、より好ましくは１〜８のものが用いられ、このようなアルコールとしては直鎖のものでも分枝のものでもよく、また飽和のものであっても不飽和のものであってもよい。炭素数１〜２４のアルコールとしては、具体的には例えば、メタノール、エタノール、直鎖状又は分枝状のプロパノール、直鎖状又は分枝状のブタノール、直鎖状又は分枝状のペンタノール、直鎖状又は分枝状のヘキサノール、直鎖状又は分枝状のヘプタノール、直鎖状又は分枝状のオクタノール、直鎖状又は分枝状のノナノール、直鎖状又は分枝状のデカノール、直鎖状又は分枝状のウンデカノール、直鎖状又は分枝状のドデカノール、直鎖状又は分枝状のトリデカノール、直鎖状又は分枝状のテトラデカノール、直鎖状又は分枝状のペンタデカノール、直鎖状又は分枝状のヘキサデカノール、直鎖状又は分枝状のヘプタデカノール、直鎖状又は分枝状のオクタデカノール、直鎖状又は分枝状のノナデカノール、直鎖状又は分枝状のイコサノール、直鎖状又は分枝状のヘンイコサノール、直鎖状又は分枝状のトリコサノール、直鎖状又は分枝状のテトラコサノール及びこれらの混合物等が挙げられる。
【００２５】
多価アルコール（ポリオール）としては、通常２〜１０価、好ましくは２〜６価のものが用いられる。２〜１０価の多価アルコールとしては、具体的には例えば、エチレングリコール、ジエチレングリコール、ポリエチレングリコール（エチレングリコールの３〜１５量体）、プロピレングリコール、ジプロピレングリコール、ポリプロピレングリコール（プロピレングリコールの３〜１５量体）、１，３−プロパンジオール、１，２−プロパンジオール、１，３−ブタンジオール、１，４−ブタンジオール、２−メチル−１，２−プロパンジオール、２−メチル−１，３−プロパンジオール、１，２−ペンタンジオール、１，３−ペンタンジオール、１，４−ペンタンジオール、１，５−ペンタンジオール、ネオペンチルグリコール等の２価アルコール；グリセリン、ポリグリセリン（グリセリンの２〜８量体、例えばジグリセリン、トリグリセリン、テトラグリセリン等）、トリメチロールアルカン（トリメチロールエタン、トリメチロールプロパン、トリメチロールブタン等）及びこれらの２〜８量体、ペンタエリスリトール及びこれらの２〜４量体、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の多価アルコール；キシロース、アラビノース、リボース、ラムノース、グルコース、フルクトース、ガラクトース、マンノース、ソルボース、セロビオース、マルトース、イソマルトース、トレハロース、スクロース等の糖類、及びこれらの混合物などが挙げられる。
【００２６】
一塩基酸としては、通常炭素数２〜２４の脂肪酸が用いられ、その脂肪酸は直鎖のものでも分枝のものでもよく、また飽和のものでも不飽和のものでもよい。具体的には、例えば、酢酸、プロピオン酸、直鎖状又は分枝状のブタン酸、直鎖状又は分枝状のペンタン酸、直鎖状又は分枝状のヘキサン酸、直鎖状又は分枝状のヘプタン酸、直鎖状又は分枝状のオクタン酸、直鎖状又は分枝状のノナン酸、直鎖状又は分枝状のデカン酸、直鎖状又は分枝状のウンデカン酸、直鎖状又は分枝状のドデカン酸、直鎖状又は分枝状のトリデカン酸、直鎖状又は分枝状のテトラデカン酸、直鎖状又は分枝状のペンタデカン酸、直鎖状又は分枝状のヘキサデカン酸、直鎖状又は分枝状のヘプタデカン酸、直鎖状又は分枝状のオクタデカン酸、直鎖状又は分枝状のノナデカン酸、直鎖状又は分枝状のイコサン酸、直鎖状又は分枝状のヘンイコサン酸、直鎖状又は分枝状のドコサン酸、直鎖状又は分枝状のトリコサン酸、直鎖状又は分枝状のテトラコサン酸等の飽和脂肪酸、アクリル酸、直鎖状又は分枝状のブテン酸、直鎖状又は分枝状のペンテン酸、直鎖状又は分枝状のヘキセン酸、直鎖状又は分枝状のヘプテン酸、直鎖状又は分枝状のオクテン酸、直鎖状又は分枝状のノネン酸、直鎖状又は分枝状のデセン酸、直鎖状又は分枝状のウンデセン酸、直鎖状又は分枝状のドデセン酸、直鎖状又は分枝状のトリデセン酸、直鎖状又は分枝状のテトラデセン酸、直鎖状又は分枝状のペンタデセン酸、直鎖状又は分枝状のヘキサデセン酸、直鎖状又は分枝状のヘプタデセン酸、直鎖状又は分枝状のオクタデセン酸、直鎖状又は分枝状のノナデセン酸、直鎖状又は分枝状のイコセン酸、直鎖状又は分枝状のヘンイコセン酸、直鎖状又は分枝状のドコセン酸、直鎖状又は分枝状のトリコセン酸、直鎖状又は分枝状のテトラコセン酸等の不飽和脂肪酸、及びこれらの混合物などが挙げられる。
【００２７】
多塩基酸としては炭素数２〜１６の二塩基酸及びトリメリット酸等が挙げられる。炭素数２〜１６の二塩基酸としては、直鎖のものでも分枝のものでもよく、また飽和のものでも不飽和のものでもよい。具体的には例えば、エタン二酸、プロパン二酸、直鎖状又は分枝状のブタン二酸、直鎖状又は分枝状のペンタン二酸、直鎖状又は分枝状のヘキサン二酸、直鎖状又は分枝状のヘプタン二酸、直鎖状又は分枝状のオクタン二酸、直鎖状又は分枝状のノナン二酸、直鎖状又は分枝状のデカン二酸、直鎖状又は分枝状のウンデカン二酸、直鎖状又は分枝状のドデカン二酸、直鎖状又は分枝状のトリデカン二酸、直鎖状又は分枝状のテトラデカン二酸、直鎖状又は分枝状のヘプタデカン二酸、直鎖状又は分枝状のヘキサデカン二酸、直鎖状又は分枝状のヘキセン二酸、直鎖状又は分枝状のヘプテン二酸、直鎖状又は分枝状のオクテン二酸、直鎖状又は分枝状のノネン二酸、直鎖状又は分枝状のデセン二酸、直鎖状又は分枝状のウンデセン二酸、直鎖状又は分枝状のドデセン二酸、直鎖状又は分枝状のトリデセン二酸、直鎖状又は分枝状のテトラデセン二酸、直鎖状又は分枝状のヘプタデセン二酸、直鎖状又は分枝状のヘキサデセン二酸及びこれらの混合物などが挙げられる。
【００２８】
エステルを形成するアルコールと酸との組み合わせは任意であって特に制限されないが、本実施形態で使用可能なエステルとしては、例えば下記のエステルを挙げることができ、これらのエステルは単独でもよく、また２種以上を組み合わせてもよい。
（ａ）１価アルコールと一塩基酸とのエステル
（ｂ）多価アルコールと一塩基酸とのエステル
（ｃ）１価アルコールと多塩基酸とのエステル
（ｄ）多価アルコールと多塩基酸とのエステル
（ｅ）１価アルコール、多価アルコールとの混合物と多塩基酸との混合エステル
（ｆ）多価アルコールと一塩基酸、多塩基酸との混合物との混合エステル
（ｇ）１価アルコール、多価アルコールとの混合物と一塩基酸、多塩基酸との混合エステル
【００２９】
これらの中でも、耐摩擦性及び酸化安定性に優れることから、（ａ）一価アルコールと一塩基酸とのエステルである一塩基酸エステルであることが好ましい。
【００３０】
エステル系基油を含有させる場合の含有量は、潤滑油基油全量基準で、好ましくは１質量％以上であり、より好ましくは５質量％以上であり、さらに好ましくは１０質量％以上である。また、好ましくは４０質量％以下であり、より好ましくは３５質量％以下であり、さらに好ましくは３０質量％以下である。エステル系基油の含有量が１質量％以上、又は４０質量％以下であると、低温流動性がより優れる傾向にある。
【００３１】
エステル系基油の４０℃における動粘度は、特に制限はされないが、好ましくは５ｍｍ２／ｓ以上であり、より好ましくは６ｍｍ２／ｓ以上であり、さらに好ましくは７ｍｍ２／ｓ以上である。また、好ましくは５０ｍｍ２／ｓ以下であり、より好ましくは３０ｍｍ２／ｓ以下であり、さらに好ましくは２０ｍｍ２／ｓ以下である。４０℃における動粘度が５ｍｍ２／ｓ以上、又は５０ｍｍ２／ｓ以下であると、極圧性、耐摩耗性及び耐焼付き性に優れる傾向にある。
【００３２】
エステル系基油の粘度指数は、特に制限はされないが、好ましくは１２５以上であり、より好ましくは１３０以上であり、さらに好ましくは１３５以上である。粘度指数が１２５以上であると、低温流動性に優れる傾向にある。
【００３３】
エステル系基油の流動点は、特に制限はされないが、好ましくは−２０℃以下であり、より好ましくは−３０℃以下であり、さらに好ましくは−４０℃以下である。
【００３４】
エステル系基油の引火点は、特に制限はされないが、好ましくは２００℃以上であり、より好ましくは２１０℃以上であり、さらに好ましくは２２０℃以上である。
【００３５】
本実施形態に係る潤滑油基油は、合成系基油以外の基油成分を含むことができる。合成系基油以外の基油成分は、特に制限されず、通常の潤滑油に使用される基油を使用できる。具体的には、鉱油系基油又はこの中から選ばれる２種以上の基油を任意の割合で混合した混合物等を使用できる。
【００３６】
鉱油系基油としては、原油を常圧蒸留及び減圧蒸留して得られた潤滑油留分を、溶剤脱れき、溶剤抽出、水素化分解、溶剤脱ろう、接触脱ろう、水素化精製、硫酸洗浄、白土処理等の精製処理を単独又は二つ以上適宜組み合わせて精製したパラフィン系、ナフテン系等の鉱油系基油、ノルマルパラフィン、イソパラフィン、石油系ワックスを接触脱ろうして製造された基油等が挙げられる。なお、これらの基油は単独でも、２種以上任意の割合で組み合わせて使用してもよい。
【００３７】
鉱油系基油としては、低粘度化の観点、及び硫黄含有量の観点から、ＡＰＩ（Ａｍｅｒｉｃａｎ  Ｐｅｔｒｏｌｅｕｍ  Ｉｎｓｔｉｔｕｔｅ）のＢａｓｅ  Ｓｔｏｃｋ  Ｃａｔｅｇｏｒｉｅｓに規定されているグループＩＩ又はグループＩＩＩに分類される基油であることが好ましく、グループＩＩＩに分類される基油がより好ましい。
【００３８】
鉱油系基油の硫黄含有量は、特に制限はないが、潤滑油基油全量基準で、１００質量ｐｐｍ以下、５０質量ｐｐｍ以下又は１０質量ｐｐｍ以下であってよい。鉱油系基油の硫黄含有量は、例えば、ＩＣＰ元素分析法等によって求めることができる。
【００３９】
（Ａ）成分の潤滑油基油の２５℃でのトラクション係数は、０．００７以下であり、好ましくは０．００６５以下であり、より好ましくは０．００６以下であり、さらに好ましくは０．００５５以下である。２５℃でのトラクション係数を０．００７以下とすることにより、低温流動性、せん断安定性及び疲労寿命に優れる潤滑油組成物を得ることが可能となる。なお、ここで２５℃でのトラクション係数は、ＥＨＬ試験機を用い、油温２５℃、面圧０．４４ＧＰａ、すべり率３％、周速０．５ｍ／ｓの条件で測定した値をいう。
【００４０】
［（Ｂ）成分：流動点降下剤］
本実施形態に係る潤滑油組成物は、潤滑油組成物全量基準で、０．１〜１．０質量％の重量平均分子量が４００００〜１０００００の流動点降下剤を含有する。このような流動点降下剤を（Ａ）成分と組み合わせることにより、低トラクション化及び油膜厚さ向上により、低温流動性を高め、疲労寿命を長くすることができる。
【００４１】
流動点降下剤は、重量平均分子量が４００００〜１０００００であれば、特に構造及び種類は限定されないが、充分な低温流動性が得られることから、ポリ（メタ）アクリレート系流動点降下剤であることが好ましい。
【００４２】
流動点降下剤の重量平均分子量は、４００００〜１０００００であり、上限値は好ましくは８００００以下であり、より好ましくは６００００以下であり、さらに好ましくは５００００以下である。流動点降下剤の重量平均分子量を４００００〜１０００００とすることにより、充分な低温流動性及び疲労寿命を有する潤滑油組成物を得ることができる。なお、ここでいう重量平均分子量とは、ウォーターズ社製１５０−Ｃ  ＡＬＣ／ＧＰＣ装置において東ソー社製のＧＭＨＨＲ−Ｍ（７．８ｍｍＩＤ×３０ｃｍ）のカラムを２本直列に使用し、溶媒としてテトラヒドロフランを用い、温度２３℃、流速１ｍＬ／分、試料濃度１質量％、試料注入量７５μＬの条件下、示差屈折率計（ＲＩ）検出器を用いて測定した標準ポリスチレン換算の重量平均分子量である。
【００４３】
流動点降下剤の含有量は、潤滑油組成物全量基準で、０．１〜１．０質量％であり、下限値は好ましくは０．２質量％以上である。流動点降下剤の含有量を０．１質量％以上とすることによって、疲労寿命に優れる傾向にある。流動点降下剤の含有量を１．０質量％以下とすることによって、せん断安定性に優れる傾向にある。
【００４４】
本実施形態に係る潤滑油組成物は、さらに粘度調整剤を含有することが好ましい。
【００４５】
粘度調整剤は、具体的には非分散型又は分散型エステル基含有粘度調整剤であり、例えば、非分散型又は分散型ポリ（メタ）アクリレート系粘度調整剤、非分散型又は分散型オレフィン−（メタ）アクリレート共重合体系粘度調整剤、スチレン−無水マレイン酸エステル共重合体系粘度調整剤及びこれらの混合物、α−オレフィンと重合性不飽和結合を有するエステル単量体との共重合体、非分散型若しくは分散型エチレン−α−オレフィン共重合体又はその水素化物、ポリイソブチレン又はその水素化物、スチレン−ジエン水素化共重合体、ポリアルキルスチレン等を挙げることができる。
【００４６】
粘度調整剤は、これらの中でも非分散型又は分散型ポリ（メタ）アクリレート系粘度調整剤であることが好ましい。特に非分散型又は分散型ポリメタクリレート系粘度調整剤であることが好ましい。
【００４７】
本実施形態に係るポリメタクリレート系粘度調整剤は、下記一般式（１）で表される構造単位を有するポリメタクリレート系粘度調整剤である。
【化１】
2015098592.tif 000002
【００４８】
一般式（１）において、Ｒ１は水素又はメチル基、好ましくはメチル基を示し、Ｒ２は炭素数１８〜３０の直鎖又は分枝状の炭化水素基、好ましくは炭素数２０以上の分枝状炭化水素基を示す。
【００４９】
ここで、炭素数１８〜３０の直鎖又は分枝状の炭化水素基としては、ヘキサデシル基、ヘプタデシル基、オクタデシル基、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基等のアルキル基（これらアルキル基は直鎖状でも分枝状でもよい）；ヘキサデセニル基、ヘプタデセニル基、オクタデセニル基、ノナデセニル基、イコセニル基、ヘンイコセニル基、ドコセニル基、トリコセニル基、テトラコセニル基、ペンタコセニル基、ヘキサコセニル基、ヘプタコセニル基、オクタコセニル基、ノナコセニル基、トリアコンテニル基等のアルケニル基（これらアルケニル基は直鎖状でも分枝状でもよく、また二重結合の位置も任意である）等が例示できる。
【００５０】
ポリメタクリレート系粘度調整剤における、一般式（１）で表される構造単位の構成比は、好ましくは５モル％以上であり、より好ましくは１５モル％以上であり、さらに好ましくは３０モル％以上である。また、低温流動性の観点から、好ましくは８０モル％以下であり、より好ましくは６０モル％以下であり、さらに好ましくは５０モル％以下である。
【００５１】
ポリメタクリレート系粘度調整剤の重量平均分子量は、特に制限されないが、好ましくは５０００以上であり、より好ましくは７０００以上であり、さらに好ましくは１００００以上であり、特に好ましくは１５０００以上である。また、好ましくは３００００以下であり、より好ましくは２８０００以下であり、さらに好ましくは２６０００以下であり、特に好ましくは２４０００以下である。なお、ここでいう重量平均分子量は、ウォーターズ社製１５０−Ｃ  ＡＬＣ／ＧＰＣ装置に東ソー社製のＧＭＨＨＲ−Ｍ（７．８ｍｍＩＤ×３０ｃｍ）のカラムを２本直列に使用し、溶媒としてはテトラヒドロフラン、温度２３℃、流速１ｍＬ／分、試料濃度１質量％、試料注入量７５μＬ、検出器示差屈折率計（ＲＩ）で測定したポリスチレン換算の重量平均分子量を意味する。
【００５２】
ポリメタクリレート系粘度調整剤を含有させる場合の含有量は、潤滑油組成物全量基準で、好ましくは０．１質量％以上であり、より好ましくは０．３質量％以上であり、さらに好ましくは０．５質量％以上である。また、好ましくは１０質量％以下であり、より好ましくは７質量％以下であり、さらに好ましくは５質量％以下である。その含有量を１０質量％以下とすることによって、含有量に見合う疲労寿命向上効果が期待でき、さらにせん断安定性により優れる傾向にある。
【００５３】
また、粘度調整剤は、α−オレフィンと重合性不飽和結合を有するエステル単量体との共重合体であってもよい。
【００５４】
重合性不飽和結合を有するエステル単量体は、重合性不飽和結合とエステル結合を有する化合物であれば、特に制限されないが、少なくとも一方のカルボキシ基のα炭素とβ炭素とがエチレン性不飽和結合（すなわち、Ｃ＝Ｃ二重結合）を形成している不飽和ジカルボン酸のジエステル体である、α，β−エチレン性不飽和ジカルボン酸ジエステルであることが好ましい。ここで、α，β−エチレン性不飽和ジカルボン酸はマレイン酸、フマル酸、シトラコン酸、メサコン酸等のような、両方のカルボキシ基についてα炭素とβ炭素とがエチレン性不飽和結合を形成しており、かつα，β−エチレン性不飽和結合が主鎖中に存在する化合物に限定されるものではなく、グルタコン酸等のように一方のカルボキシ基のみについてα炭素とβ炭素とがエチレン性不飽和結合をなしている化合物をも包含する概念であり、また、イタコン酸等のようにα，β−エチレン性不飽和結合が側鎖に見出される化合物をも包含する概念である。
【００５５】
α−オレフィンと重合性不飽和結合を有するエステル単量体との共重合体の構造は、特に制限されるものではない。また、製造方法についても特に制限されるものではなく、公知の方法によって製造したものを用いることができる。
【００５６】
α−オレフィンと重合性不飽和結合を有するエステル単量体との共重合体の重量平均分子量は、特に制限されないが、好ましくは２０００以上であり、より好ましくは４０００以上であり、さらに好ましくは６０００以上である。また、好ましくは２００００以下であり、より好ましくは１５０００以下であり、さらに好ましくは１２０００以下である。その重量平均分子量を２０００以上、又は２００００以下とすることによって、低温流動性を高めることが可能となる。なお、ここでいう重量平均分子量とは、ウォーターズ社製１５０−Ｃ  ＡＬＣ／ＧＰＣ装置において東ソー社製のＧＭＨＨＲ−Ｍ（７．８ｍｍＩＤ×３０ｃｍ）のカラムを２本直列に使用し、溶媒としてテトラヒドロフランを用い、温度２３℃、流速１ｍＬ／分、試料濃度１質量％、試料注入量７５μＬの条件下、示差屈折率計（ＲＩ）検出器を用いて測定した標準ポリスチレン換算の重量平均分子量を意味する。
【００５７】
α−オレフィンと重合性不飽和結合を有するエステル単量体との共重合体を含有させる場合の含有量は、潤滑油組成物全量基準で、好ましくは０．１質量％以上であり、より好ましくは０．５質量％以上である。また、好ましくは１０質量％以下であり、より好ましくは８質量％以下であり、さらに好ましくは５質量％以下である。その含有量を１質量％以上とすることによって、耐摩耗性及び疲労寿命により優れる傾向にある。また、その含有量を１０質量％以下とすることによって、充分なせん断安定性、耐摩耗性及び疲労寿命を示す傾向にある。
【００５８】
粘度調整剤は、非分散型若しくは分散型エチレン−α−オレフィン共重合体又はその水素化物、ポリイソブチレン又はその水素化物、スチレン−ジエン水素化共重合体、ポリアルキルスチレンであってもよい。これらの中でも、エチレン−α−オレフィン共重合体又はその水素化物を用いた場合には、せん断安定性に優れた潤滑油組成物を得ることができる。
【００５９】
非分散型若しくは分散型エチレン−α−オレフィン共重合体又はその水素化物の分子量は、せん断安定性を考慮して選定することが必要である。好ましくは８００以上であり、より好ましくは１０００以上であり、さらに好ましくは３０００以上であり、特に好ましくは１５０００以上である。また、好ましくは１５００００以下であり、より好ましくは４００００以下であり、さらに好ましくは３００００以下であり、特に好ましくは２５０００以下である。
【００６０】
非分散型若しくは分散型エチレン−α−オレフィン共重合体又はその水素化物を含有させる場合の含有量は、潤滑油組成物全量基準で、好ましくは０．１質量％以上であり、より好ましくは０．５質量％以上である。また、好ましくは１０質量％以下であり、より好ましくは８質量％以下であり、さらに好ましくは５質量％以下である。その含有量を１質量％以上とすることによって、耐摩耗性及び疲労寿命により優れる傾向にある。また、その含有量を１０質量％以下とすることによって、充分なせん断安定性、耐摩耗性及び疲労寿命を示す傾向にある。
【００６１】
本実施形態に係る潤滑油組成物は、硫黄含有量、ホウ素含有量及びリン含有量に関して、下記式（１）を満たすものである。
０．０１≦［ＣＳ／（ＣＢ×ＣＰ）］≦０．０２５    （１）
［式中、ＣＳは潤滑油組成物中の硫黄含有量を示し、ＣＢは潤滑油組成物中のホウ素含有量を示し、ＣＰは潤滑油組成物中のリン含有量を示し、ＣＳ、ＣＢ及びＣＰはいずれも潤滑油組成物全量基準での含有量（質量）である。］
【００６２】
潤滑油組成物中の硫黄含有量、ホウ素含有量及びリン含有量は、ＩＣＰ元素分析法等によって求めることができる。また、潤滑油基油に配合される各成分を予め、ＩＣＰ元素分析法等によって分析し、その分析値と各成分の仕込み量から潤滑油組成物中の硫黄含有量、ホウ素含有量及びリン含有量を求めることもできる。
【００６３】
［ＣＳ／（ＣＢ×ＣＰ）］の下限値は０．０１以上であり、好ましくは０．０１１以上であり、より好ましくは０．０１２以上であり、さらに好ましくは０．０１３以上である。一方、［ＣＳ／（ＣＢ×ＣＰ）］の上限値は０．０２５以下であり、好ましくは０．０２４以下、より好ましくは０．０２２以下であり、さらに好ましくは０．０２以下である。その下限値は０．０１以上、又はその上限値を０．０２５以下とすることにより、耐摩耗性に優れる傾向にある。
【００６４】
本実施形態に係る潤滑油組成物は、リン及び硫黄を含む添加剤と、ホウ素を含む添加剤と、をさらに含有してもよい。また、上記リン及び硫黄を含む添加剤は、構成元素としてリンを含み硫黄を含まない第１の添加剤と構成元素として硫黄を含みリンを含まない第２の添加剤との組合せ、構成元素としてリン及び硫黄の両方を含む第３の添加剤、前記第１の添加剤と前記第３の添加剤との組合せ、前記第２の添加剤と前記第３の添加剤との組合せ、並びに、前記第１の添加剤と前記第２の添加剤と前記第３の添加剤との組合せからなる群より選ばれる１種であってよい。
【００６５】
第１の添加剤は、構成元素としてリンを含み硫黄を含まない添加剤である。第１の添加剤としては、亜リン酸エステル類（ホスファイト）、リン酸エステル類、これらのアミン塩、これらの金属塩、これらの誘導体等のリン系極圧剤などが挙げられる。
【００６６】
第２の添加剤は、構成元素として硫黄を含みリンを含まない添加剤である。第２の添加剤としては、ジチオカーバメート、亜鉛ジチオカーバメート、モリブデンジチオカーバメイト、ジサルファイド類、ポリサルファイド類、硫化オレフィン類、硫化油脂類、チアジアゾール類等の摩耗防止剤（又は極圧剤）、スルホネート系清浄剤（アルカリ金属又はアルカリ土類金属との正塩、塩基正塩、過塩基性塩）等の金属系清浄剤、チアジアゾール類等の腐食防止剤、アルキルチアジアゾール、メルカプトベンゾチアゾール、１，３，４−チアジアゾールポリスルフィド、１，３，４−チアジアゾリル−２，５−ビスジアルキルジチオカーバメート、２−（アルキルジチオ）ベンゾイミダゾール、β−（ｏ−カルボキシベンジルチオ）プロピオンニトリル等の金属不活性化剤、石油スルホネート、アルキルベンゼンスルホネート、ジノニルナフタレンスルホネート等の防錆剤などが挙げられる。
【００６７】
第３の添加剤は、構成元素としてリン及び硫黄の両方を含む添加剤である。第３の添加剤としては、ジアルキルジチオリン酸亜鉛（ＺｎＤＴＰ）、チオ亜リン酸エステル類、ジチオ亜リン酸エステル類、トリチオ亜リン酸エステル類、チオリン酸エステル類、ジチオリン酸エステル類、トリチオリン酸エステル類、これらのアミン塩、これらの金属塩、これらの誘導体等の硫黄−リン系の極圧剤などが挙げられる。
【００６８】
ホウ素を含む添加剤としては、ホウ酸変性コハク酸イミド（ホウ素含有コハク酸イミド）等の無灰分散剤などが挙げられる。
【００６９】
本実施形態に係る潤滑油組成物には、その目的に応じて潤滑油に一般的に使用されている任意の添加剤を含有させることができる。このような添加剤としては、例えば、金属系清浄剤、無灰分散剤、酸化防止剤、腐食防止剤、防錆剤、抗乳化剤、金属不活性化剤、消泡剤、無灰摩擦調整剤等の添加剤などを挙げることができる。
【００７０】
金属系清浄剤としては、サリチレート系清浄剤、フェネート系清浄剤等が挙げられ、アルカリ金属又はアルカリ土類金属との正塩、塩基正塩、過塩基性塩のいずれをも配合することができる。使用に際してはこれらの中から任意に選ばれる１種類又は２種類以上を配合することができる。
【００７１】
無灰分散剤としては、潤滑油に用いられる任意の無灰分散剤が使用でき、例えば、炭素数４０〜４００の直鎖若しくは分枝状のアルキル基又はアルケニル基を分子中に少なくとも１個有するモノ又はビスコハク酸イミド、炭素数４０〜４００のアルキル基又はアルケニル基を分子中に少なくとも１個有するベンジルアミン、炭素数４０〜４００のアルキル基又はアルケニル基を分子中に少なくとも１個有するポリアミン、これらのカルボン酸、リン酸等による変成品などが挙げられる。使用に際してはこれらの中から任意に選ばれる１種類又は２種類以上を配合することができる。
【００７２】
酸化防止剤としては、フェノール系、アミン系等の無灰酸化防止剤、銅系、モリブデン系等の金属系酸化防止剤が挙げられる。具体的には、例えば、フェノール系無灰酸化防止剤としては、４，４’−メチレンビス（２，６−ジ−ｔｅｒｔ−ブチルフェノール）、４，４’−ビス（２，６−ジ−ｔｅｒｔ−ブチルフェノール）等が、アミン系無灰酸化防止剤としては、フェニル−α−ナフチルアミン、アルキルフェニル−α−ナフチルアミン、ジアルキルジフェニルアミン等が挙げられる。
【００７３】
腐食防止剤としては、例えば、ベンゾトリアゾール系、トリルトリアゾール系、イミダゾール系化合物等が挙げられる。
【００７４】
防錆剤としては、例えば、アルケニルコハク酸エステル、多価アルコールエステル等が挙げられる。
【００７５】
抗乳化剤としては、例えば、ポリオキシエチレンアルキルエーテル、ポリオキシエチレンアルキルフェニルエーテル、ポリオキシエチレンアルキルナフチルエーテル等のポリアルキレングリコール系非イオン系界面活性剤などが挙げられる。
【００７６】
金属不活性化剤としては、例えば、イミダゾリン、ピリミジン誘導体、ベンゾトリアゾール又はその誘導体等が挙げられる。
【００７７】
消泡剤としては、例えば、２５℃における動粘度が１０００〜１０万ｍｍ２／ｓのシリコーンオイル、アルケニルコハク酸誘導体、ポリヒドロキシ脂肪族アルコールと長鎖脂肪酸とのエステル、メチルサリチレートとｏ−ヒドロキシベンジルアルコールとのエステル等が挙げられる。
【００７８】
無灰摩擦調整剤としては、潤滑油用の無灰摩擦調整剤として通常用いられる任意の化合物が使用可能であり、例えば、炭素数６〜３０のアルキル基またはアルケニル基、特に炭素数６〜３０の直鎖アルキル基または直鎖アルケニル基を分子中に少なくとも１個有する、アミン系、脂肪酸エステル系、脂肪酸アミド系、脂肪酸系、脂肪族アルコール系、脂肪族エーテル系等の無灰摩擦調整剤等が挙げられる。
【００７９】
本実施形態に係る潤滑油組成物の１００℃における動粘度は、特に制限されないが、好ましくは３．５ｍｍ２／ｓ以上であり、より好ましくは３．７ｍｍ２／ｓ以上であり、さらに３．９ｍｍ２／ｓ以上である。また、好ましくは７．０ｍｍ２／ｓ以下であり、より好ましくは６．５ｍｍ２／ｓ以下であり、さらに好ましくは６．０ｍｍ２／ｓ以下である。１００℃動粘度を３．５ｍｍ２／ｓ以上とすることによって、油膜形成が充分となり、潤滑性により優れる傾向にある。また、１００℃動粘度を７．０ｍｍ２／ｓ以下とすることによって、低温流動性に優れる傾向にある。
【００８０】
本実施形態に係る潤滑油組成物の−４０℃におけるＢＦ粘度は、特に限定されないが、好ましくは１００００ｍＰａ・ｓ以下であり、より好ましくは８０００ｍＰａ・ｓ以下であり、さらに好ましくは７０００ｍＰａ・ｓ以下である。ＢＦ粘度を１００００ｍＰａ・ｓ以下とすることにより、充分な低温流動性が得られる。
【００８１】
本実施形態に係る潤滑油組成物は、低温流動性及びせん断安定性に優れ、省燃費化が可能な耐摩耗性及び疲労寿命に優れるため、ハイブリッド車又は電気自動車の減速機用に好適に用いることができる。中でも補助動力源がない電気自動車用として好適である。より好ましくは電動モーター用又はインホイールモーター用であり、さらに好ましくはインホイールモーター用である。
【００８２】
以上、本発明の好適な実施形態について説明したが、本発明は上記実施形態に限定されるものではない。
【００８３】
例えば、本発明の一態様は、上記（Ａ）合成系基油を含み、２５℃でのトラクション係数が０．００７以下である潤滑油基油と、上記（Ｂ）重量平均分子量が４００００〜１０００００の流動点降下剤と、を含有し、潤滑油組成物全量基準で、流動点降下剤の含有量が０．１〜１．０質量％であり、上記式（１）を満たす組成物の、ハイブリッド車又は電気自動車の減速機用潤滑油としての使用に関する。また、例えば、本発明の別の一態様は、上記（Ａ）合成系基油を含み、２５℃でのトラクション係数が０．００７以下である潤滑油基油と、上記（Ｂ）重量平均分子量が４００００〜１０００００の流動点降下剤と、を含有し、潤滑油組成物全量基準で、流動点降下剤の含有量が０．１〜１．０質量％であり、上記式（１）を満たす組成物の、ハイブリッド車又は電気自動車の減速機用潤滑油の製造のための使用に関する。
【００８４】
以下、実施例により本発明をより具体的に説明するが、本発明は実施例に限定されるものではない。
【００８５】
（実施例１〜１８及び比較例１〜１１）
表１及び表２に示すように、実施例１〜１８及び比較例１〜１１の潤滑油組成物をそれぞれ調製した。得られた潤滑油組成物について、低温流動性、せん断安定性、耐摩耗性及び疲労寿命を測定し、その結果を表１及び表２に併記した。
【００８６】
表１及び表２に示した各成分の詳細は以下のとおりである。
基油Ａ−１：ポリα−オレフィン［グループＩＶ、４０℃動粘度：１６．９５ｍｍ２／ｓ、１００℃動粘度：３．８６２ｍｍ２／ｓ、粘度指数：１２２、２５℃でのトラクション係数：０．００４３４］
基油Ａ−２：ポリα−オレフィン［グループＩＶ、４０℃動粘度：３０．５９ｍｍ２／ｓ、１００℃動粘度：６．０１２ｍｍ２／ｓ、粘度指数：１４７、２５℃でのトラクション係数：０．００６６２］
基油Ａ−３：ワックス異性化基油［グループＩＩＩ＋、４０℃動粘度：１６．８６ｍｍ２／ｓ、１００℃動粘度：４．０２８ｍｍ２／ｓ、粘度指数：１４２、２５℃でのトラクション係数：０．００３９５］
基油Ａ−４：水素化精製鉱油［グループＩＩＩ、４０℃動粘度：８．６６７ｍｍ２／ｓ、１００℃動粘度：２．３９５ｍｍ２／ｓ、粘度指数：９１、２５℃でのトラクション係数：０．０１２８］
基油Ａ−５：水素化精製鉱油［グループＩＩＩ、４０℃動粘度：１８．６８ｍｍ２／ｓ、１００℃動粘度：４．１６０ｍｍ２／ｓ、粘度指数：１２７、２５℃でのトラクション係数：０．００８８］
基油Ａ−６：溶剤精製基油［グループＩ、４０℃動粘度：２４３．１ｍｍ２／ｓ、１００℃動粘度：２０．４６ｍｍ２／ｓ、粘度指数：９８、２５℃でのトラクション係数：０．０２３８］
基油Ａ−７：二塩基酸エステル［グループＶ、アゼライン酸＋２エチルヘキサノール、４０℃動粘度：１０．３ｍｍ２／ｓ、１００℃動粘度：２．９ｍｍ２／ｓ、粘度指数：１３８、２５℃でのトラクション係数：０．００３０３、流動点：−７２℃、引火点：２２０℃］
基油Ａ−８：一塩基酸エステル［グループＶ、オレイン酸＋２エチルヘキサノール、４０℃動粘度：８．４ｍｍ２／ｓ、１００℃動粘度：２．７ｍｍ２／ｓ、粘度指数：１７４、２５℃でのトラクション係数：０．００１９２、流動点：−４０℃、引火点：２２４℃］
流動点降下剤Ｂ−１：ポリメタクリレート系流動点降下剤［重量平均分子量：４６０００］
流動点降下剤Ｂ−２：ポリメタクリレート系流動点降下剤［重量平均分子量：１７００００］
粘度調整剤Ｃ−１：ポリメタクリレート系粘度調整剤［重量平均分子量：２００００、Ｒ２が炭素数２０〜２４の炭化水素基である一般式（１）で表される構造単位の構成比：４０モル％］
粘度調整剤Ｃ−２：α−オレフィンとカルボン酸との共重合体［重量平均分子量：１２０００］
粘度調整剤Ｃ−３：エチレンとα−オレフィンとの共重合体［数平均分子量：１３０００］
摩耗防止剤Ｄ−１：亜リン酸エステル［リン元素換算：１３．２質量％］
極圧剤Ｅ−１：チアジアゾール［硫黄元素換算：３６質量％］
分散剤Ｆ−１：ホウ酸変性コハク酸イミド［重量平均分子量：１０００、ホウ素元素換算：１．５質量％］
ＡＴＦパッケージＧ−１：コハク酸イミド、ホウ素含有コハク酸イミド、硫黄含有亜リン酸エステル、カルシウムスルフォネート、金属不活性化剤、摩擦調整剤、消泡剤、希釈油等のパッケージ添加剤［パッケージ添加剤全量基準で、硫黄元素換算：０．４４質量％、ホウ素元素換算：０．１２質量％、リン元素換算：０．２４質量％］
【００８７】
潤滑油組成物における硫黄含有量、ホウ素含有量及びリン含有量は、ＩＣＰ元素分析法によって求めた。また、摩耗防止剤のリン元素換算量、極圧剤の硫黄元素換算量、分散剤のホウ素元素換算量、並びにＡＴＦパッケージの硫黄元素換算量、ホウ素元素換算量及びリン元素換算量についても、ＩＣＰ元素分析法によって求めた。
【００８８】
（１）低温流動性
ＡＳＴＭ  Ｄ  ２９８３に準拠し、各潤滑油組成物の−４０℃におけるＢＦ粘度を測定した。本試験においては、ＢＦ粘度の値が小さいものほど低温流動性に優れていることを意味する。
（２）せん断安定性試験
ＪＰＩ−５Ｓ−２９−８８に準拠し、測定温度１００℃、照射時間１０時間でソニックテストを行い、ソニックテスト前後の１００℃動粘度から、その低下率を測定した。本試験においては、低下率が小さいものほどせん断安定性に優れていることを意味する。
（３）耐摩耗性試験
ＡＳＴＭ  Ｄ  ２５９６に準拠し、高速四球試験機を用い、各潤滑油組成物の１８００回転における最大非焼付き荷重（ＬＮＳＬ）を測定した。本試験においては、最大非焼付き荷重が大きいほど耐摩耗性に優れていることを意味する。
また、以下の条件により、四球試験（ＡＳＴＭ  Ｄ４１７２）を行い、摩耗痕径（ｍｍ）を測定して耐摩耗性を評価した。本試験においては、摩耗痕径が小さいほど耐摩耗性に優れていることを意味する。
荷重：３９２Ｎ
回転数：１８００ｒｐｍ
温度：８０℃
試験時間：３０分間
（４）疲労寿命試験
ＦＺＧ試験機を用いて以下の条件で運転を行い、歯車にピッチングが発生するまでのギヤの疲労寿命を評価した。
荷重ステージ：９
油温：１２０℃
回転数：１４４０ｒｐｍ
【００８９】
【表１】
2015098592.tif 000003
【００９０】
【表２】
2015098592.tif 000004
【００９１】
表１及び表２から明らかであるように、実施例１〜１８の潤滑油組成物は、低温流動性（例えば、−４０℃におけるＢＦ粘度が１００００ｍＰａ・ｓ以下）、せん断安定性（例えば、１００℃動粘度低下率が２．０％以下）、耐摩耗性（例えば、最大非焼付き荷重が６１８Ｎ以上、摩耗痕径が０．６０ｍｍ以下）及び疲労寿命（例えば、２４時間以上）にバランス良く優れていることが分かった。